(57)【要約】【課題】液性が強アルカリ性でなくとも、食器、グラス、陶磁器、金属、プラスチック等の硬表面の汚れ除去に高い洗浄力を発揮すると共に、安定性および安全性に優れた食器洗い機用洗剤組成物を提供する。【解決手段】一般式Ｒ−Ｏ−［（Ｃ２Ｈ４Ｏ）ｍ／（Ｃ３Ｈ６Ｏ）ｎ］Ｈ（Ｒは炭素数８〜２０の直鎖または分岐のアルキル基、ｍは１０〜２０の整数、ｎは３〜１０の整数、付加様式はブロックでもランダムでもよく、ブロックの場合付加順序はどちらでも良い）で表される低泡性非イオン界面活性剤３〜３０重量％と、低級アルキルベンゼンスルホン酸塩１〜３０重量％を含有することを特徴とする食器洗い機用洗剤組成物である。【選択図】    なし【特許請求の範囲】
【請求項１】
（ａ）下記一般式（Ｉ）で表される低泡性非イオン界面活性剤３〜３０重量％
Ｒ−Ｏ−［（Ｃ２Ｈ４Ｏ）ｍ／（Ｃ３Ｈ６Ｏ）ｎ］Ｈ  ……（Ｉ）
（式中、Ｒは炭素数８〜２０の直鎖または分岐のアルキル基、ｍは１０〜２０の整数、ｎは３〜１０の整数、付加様式はブロックでもランダムでもよく、ブロックの場合付加順序はどちらでも良い）と、
（ｂ）低級アルキルベンゼンスルホン酸塩１〜３０重量％を含有することを特徴とする食器洗い機用洗剤組成物。
【請求項２】
ｐＨが８〜１１である請求項１に記載の食器洗い機用洗剤組成物。
【発明の詳細な説明】
【０００１】
【発明の属する技術分野】
本発明は、液性が強アルカリ性でなくとも、食器、グラス、陶磁器、金属、プラスチック等の硬表面の汚れ除去に高い洗浄力が得られると共に、安定性に優れ、かつ家庭用食器洗い機に使用しても安全性の高い食器洗い機用洗剤組成物に関するものである。
【０００２】
【従来の技術】
従来から、ホテル、レストラン、学校、病院、飲食店、給食会社、会社の食堂などにおいて、使用後の食器を洗浄するため、食器洗い機が広く用いられ、近年では一般家庭にも普及しつつある。
【０００３】
これまでの業務用食器洗い機に用いられる液体洗剤は、頑固な汚れを落とすことを目的として水酸化ナトリウム、水酸化カリウムなどを１０〜６０重量％程度含むため強アルカリ性を示し、家庭用食器洗い機への使用は安全性の面から適さないものであった。そのため、家庭用食器洗い機に使用しても安全性の高い食器洗い機用洗剤組成物が望まれていた。
【０００４】
食器洗い機用洗剤を家庭用食器洗い機に適したものとするために、強アルカリ性から弱アルカリ性に液性を変えることで安全性の改善は図られるものの、十分な洗浄力が得られないという問題が生じる。十分な洗浄力を得るためには低泡性非イオン界面活性剤を増量してみたが、この方法では十分な洗浄力は得られず、また、安定性においても十分な結果が得られず、液分離等の好ましくない外観を生じるという問題を抱えることとなった。
【０００５】
これらの問題点を考慮しながら、洗浄力向上を目的とした食器洗い機用洗剤が開発され、例えば水酸化ナトリウムと２−ヒドロキシイミノジ酢酸ナトリウムからなる硬表面洗浄用液体アルカリ性洗浄剤（特許文献１参照）や、非イオン界面活性剤、アルカリビルダーおよびアルカリリパーゼからなる自動食器洗い機用洗浄剤組成物（特許文献２参照）が提案されている。
【０００６】
また、界面活性剤の洗浄力に着目した食器洗い機用洗剤として、非イオン界面活性剤からなる洗浄剤（特許文献３参照）がある。
【０００７】
さらに、安定性に着目している洗剤として、ＮａＯＨ又はＫＯＨと、ポリアクリル酸塩と、水からなる自動食器洗浄機用液体洗剤組成物（特許文献４参照）、アニオン性活性剤とコハク酸誘導体からなる液体軽質洗浄剤組成物（特許文献５参照）、陰イオン性界面活性剤と、非イオン性又は両性界面活性剤と、コハク酸誘導体と、低級アルキルベンゼンスルホン酸塩からなる液体洗浄剤組成物（特許文献６参照）が知られている。
【０００８】
洗浄力および安定性に着目した洗剤として、アルカリ剤、非イオン界面活性剤および液性向上剤からなるもの（特許文献７参照）がある。
【０００９】
しかしながら、これらの洗剤では、生活様式の変化や食生活の欧米化などに伴って変化した近年の多様な食器に付着する汚れを効果的に除去することは、困難であった。また、これら従来の洗剤は安全性の面でも問題があった。
【００１０】
【特許文献１】
特開昭５６−４５９９７公報
【００１１】
【特許文献２】
特開平２−７７４９９公報
【００１２】
【特許文献３】
特公平２−３３７６０公報
【００１３】
【特許文献４】
特開平４−１５２９９公報
【００１４】
【特許文献５】
特開昭５８−１９６２９９公報
【００１５】
【特許文献６】
特開平２−１１３１００公報
【００１６】
【特許文献７】
特開平８−７３８９０公報。
【００１７】
【発明が解決しようとする課題】
本発明は、上記のような実状から、液性が強アルカリ性でなくとも、食器、グラス、陶磁器、金属、プラスチック等の硬表面の汚れ除去に高い洗浄力を発揮すると共に、安定性に優れ、かつ家庭用食器洗い機に使用しても安全性の高い食器洗い機用洗剤組成物を提供することを課題とする。
【００１８】
【課題を解決するための手段】
本発明者らは、これらの問題を解決すべく鋭意検討を行った結果、特定の低泡性非イオン界面活性剤と低級アルキルベンゼンスルホン酸塩を必須成分として含有せしめた食器洗い機用洗剤組成物は、液性が強アルカリ性でなくとも高い洗浄力が得られると共に、安全性および安定性に優れていることを見出した。また、この洗剤組成物は、一般の液体洗剤用キャップ計量器付容器に充填して使用することが可能であるが、低い粘度を有することからスプレー容器に充填し、使用することも可能である。
【００１９】
すなわち、本発明は、（ａ）下記一般式（Ｉ）で表される低泡性非イオン界面活性剤３〜３０重量％
Ｒ−Ｏ−［（Ｃ２Ｈ４Ｏ）ｍ／（Ｃ３Ｈ６Ｏ）ｎ］Ｈ  ……（Ｉ）
（式中、Ｒは炭素数８〜２０の直鎖または分岐のアルキル基、ｍは１０〜２０の整数、ｎは３〜１０の整数、付加様式はブロックでもランダムでもよく、ブロックの場合付加順序はどちらでも良い）と、
（ｂ）低級アルキルベンゼンスルホン酸塩１〜３０重量％を含有することを特徴とする食器洗い機用洗剤組成物である。
本発明による食器洗い機用洗剤組成物のｐＨは好ましくは８〜１１、より好ましくは９．５〜１０．８である。
本発明に用いられる低泡性非イオン界面活性剤は、一般式
Ｒ−Ｏ−［（Ｃ２Ｈ４Ｏ）ｍ／（Ｃ３Ｈ６Ｏ）ｎ］Ｈ  ……（Ｉ）
（式中、Ｒは炭素数８〜２０、好ましくは炭素数１０〜１３の直鎖または分岐のアルキル基、ｍは１０〜２０の整数、好ましくは１０〜１７の整数、ｎは３〜１０の整数、好ましくは３〜７の整数、付加様式はブロックでもランダムでもよく、ブロックの場合付加順序はどちらでも良い。）
で表される物質である。
低泡性非イオン界面活性剤の配合量は３〜３０重量％、好ましくは１０〜３０重量％配合される。この配合量は３重量％未満では洗浄力が低下し、３０重量％を超えると安定性が不安定となり、食器洗い機による洗浄時に泡立ちが激しく洗浄機の運転に支障が生じる。
低級アルキルベンゼンスルホン酸塩として、好ましくはキシレンスルホン酸塩、キュメンスルホン酸塩、トルエンスルホン酸塩および／またはこれらの混合物等から選ばれ、塩としては、ナトリウム、カリウムのアルカリ金属の塩、アンモニウム、モノエタノールアミン、ジエタノールアミン、トリエタノールアミン等の有機アミンなどの水溶性塩が使用される。
低級アルキルベンゼンスルホン酸塩の配合量は１〜３０重量％、好ましくは、３〜２５重量％である。この配合量は１重量％未満では、洗浄性の改良効果が得られず、安定性が不安定となり、３０重量％を超えると洗浄力が低下し、安定性が不安定となり、他の成分の配合量が少なくなり望ましくない。
本発明の組成物には必要に応じて、香料、色素、漂白剤、酵素、溶剤、アルカリ剤、その他目的に応じた添加物を適宜加えることができる
【００２０】
【発明の実施の形態】
以下、実施例により本発明をより詳細に説明するが、本発明はこれら実施例に限定されるものではない。
表１に示す実施例１〜３、比較例１〜５の組成の食器洗い機用洗剤組成物を調製した。
【００２１】
これら組成物について、下記の方法で洗浄力テスト、機械の作動性、安定性テストおよびｐＨ測定を行った。
【００２２】
《洗浄力テスト》
家庭用食器洗い機を用いて、油汚れ（牛脂を塗った皿）、でんぷん汚れ（コーンスターチを塗った皿）、たんぱく汚れ（卵黄を塗った皿）を下記洗浄条件で洗浄し、乾燥後、洗浄の程度を目視判定する。
【００２３】
2004277651.tif 000002
【００２４】
《機械の作動性》
洗浄力テストを評価する際、機械の作動性を同時に評価する。
【００２５】
2004277651.tif 000003
《安定性テスト》
食器洗い機用洗剤組成物を３本のガラスびんに充填後、１本を−５℃の低温器に、１本を４７℃の高温器に、１本を室内に配置し、１ヵ月後の状態を目視観察することにより低温時、高温時、常温時の安定性を評価した。
【００２６】
2004277651.tif 000004
【００２７】
《ｐＨ測定》
食器洗い機用洗剤組成物を２５℃に調整しｐＨを測定した。
【００２８】
使用機種：堀場製作所製  Ｆ−２２。
【００２９】
得られたテスト結果を表１にまとめて示す。
【００３０】
【表１】
2004277651.tif 000005
表中、（ａ）  は下記一般式（Ｉ）で示される低泡性非イオン界面活性剤
Ｒ−Ｏ−［（Ｃ２Ｈ４Ｏ）ｍ／（Ｃ３Ｈ６Ｏ）ｎ］Ｈ  …（Ｉ）
界面活性剤Ａ  Ｒ：Ｃ１０〜１３、ｍ：１０〜１７、ｎ：３〜７
界面活性剤Ｂ  Ｒ：Ｃ８〜１８、ｍ：１２、ｎ：２
界面活性剤Ｃ  Ｒ：Ｃ６、ｍ：１８、ｎ：３。
【００３１】
（ｂ）低級アルキルベンゼンスルホン酸塩
Ｘｓ−Ｎａ：キシレンスルホン酸ナトリウム
Ｃｓ−Ｎａ：キュメンスルホン酸ナトリウム
任意成分
ＮａＯＨ：水酸化ナトリウム
炭酸Ｎａ：炭酸ナトリウム
クエン酸Ｎａ：クエン酸ナトリウム
表１から明らかなように、実施例の食器洗い機用洗剤組成物はいずれの評価項目においても良好な結果を示した。
【００３２】
【発明の効果】
本発明によれば、液性が強アルカリ性でなくとも、高い洗浄力を発揮すると共に、安定性および安全性に優れた食器洗い機用洗剤組成物を提供することができる。